(57)【特許請求の範囲】
【請求項１】
ある個人が同一人であることを確認するための装置において、
前記個人が持ち運び可能な身元確認カードと、データベースに通信可能であって操作者によって操作される受信局とからなり、
前記データベースに通信可能な受信局から伝送された無線周波数信号に応答して、個人の身元確認ファイルを内含する前記データベースに順次報告する入力トランスポンダ(１６)と、
前記身元確認カードの発行を受けた個人に対して割当てられた唯一無二の記述および前記カードを発行した発行局の識別を表わす１つの信号を伝送する記述トランスポンダ(１７)と、
前記受信局で復号すべきであるとの識別子を伴う情報となるように、前記身元確認ファイルの場所コードに連携する暗号化コードを与える妥当性検査トランスポンダ(１８)と、
を備え、
前記身元確認カードが前記入力トランスポンダ(１６)と前記記述トランスポンダ(１７)と前記妥当性検査トランスポンダ(１８)とを搭載しており、そして、前記身元確認カードの構造が、
（一）前記受信局と通信する周回アンテナ（１５）に接続する前記入力トランスポンダ(１６)と前記記述トランスポンダ(１７)とを有する情報部分（１３）と、前記妥当性検査トランスポンダ(１８)を有する妥当性検査部分（１４）とからなり、折畳み可能なベース層（１１）に折り線（１２）を設けて、前記情報部分（１３）と前記妥当性検査部分（１４）とを前記折り線（１２）で分けて配置した構成、
（二）前記受信局と通信する周回アンテナ（１５）に接続する導電性トラック（１９、２０）を配置してあり、妥当性検査部分(１４)にある前記妥当性検査トランスポンダ（１８）と、情報部分（１３）にある入力トランスポンダ（１６）と記述トランスポンダ（１７）のうちのいずれかと、前記導電性トラック（１９、２０）が電気的に接続しており、更に、前記導電性トラック（１９、２０）が凡そ前記アンテナ（１５）を取り囲んで配置して、前記情報部分（１３）の外周側に前記妥当性検査部分（１４）を配置する関係になる構成、
（三）前記受信局と通信する周回アンテナ（１５）に接続する前記入力トランスポンダ(１６)と前記記述トランスポンダ(１７)とを有する情報部分（１３）の範囲の一部から伸延するコネクタストリップ（２５）を妥当性検査部分として、その先端に前記妥当性検査トランスポンダ（１８ａ）を有する構成、
のうち、（一）乃至（三）の少なくともいずれか一つの構成を成す前記身元確認カードと、前記受信局とで構成することを特徴とする個人を確認するための身元確認装置。
【請求項２】
前記受信局に対し読取り局アクセスコードを伝送し、且つ前記受信局に対し警報を与える入力キー構成要素(２２)を前記身元確認カードに有する請求項１に記載の装置。
【請求項３】
前記無線周波数信号の受理と応答信号の送信の間の時間的遅延を作り出すため、時間遅延構成要素（２１）を前記身元確認カードに有する請求項１あるいは請求項２に記載の装置。
【請求項４】
前記妥当性検査部分（１４）は、前記身元確認カードに記録された情報が干渉を受けたことを受信局で調査するようにフラグを立てて、同時に、前記受信局で追加専用ファイルに記憶するために、前記記録された情報を前記受信局で利用できる情報にする請求項１乃至３のいずれかに記載の装置。
【請求項５】
前記データベースに含まれる身元確認の為のデータは、前記身元確認カードの発行を受けた個人のＤＮＡデータを含む非侵襲なバイオメトリック情報である請求項１乃至４のいずれかに記載の装置。
【請求項６】
前記身元確認カードが、前記身元確認カードから前記受信局に情報を送信するための暗号化手段を含む請求項１乃至５のいずれかに記載の装置。
【請求項７】
前記身元確認カードが、その表面に画像読み取りが可能な模様または装飾を配置してある請求項１乃至８のいずれかに記載の装置。
【請求項８】
データベースにアクセスできる前記受信局が受ける情報は、その情報がアクセスされるかまたはアクセスが試みられるごとに前記データベースの追加専用ファイルに追加される請求項１乃至９のいずれかに記載の装置。
【請求項９】
前記受信局の受ける前記情報は、前記受信局の操作者が利用可能であり、無許可とされる個人の身元確認の情報を含む請求項８に記載の装置。
【請求項１０】
ある貨物の身元を確認するための装置において、
前記貨物に取り付け可能な身元確認カードと、データベースと通信可能な受信局とからなり、
前記データベースに通信可能な受信局から伝送された無線周波数信号に応答して、前記貨物の身元確認ファイルを内含する前記データベースに順次報告する入力トランスポンダ(１６)と、
前記身元確認カードの発行を受けた貨物に対して割当てられた唯一無二の記述および前記カードを発行した発行局の識別を表わす１つの信号を伝送する記述トランスポンダ(１７)と、
前記受信局で復号すべきであるとの識別子を伴う情報となるように、前記身元確認ファイルの場所コードに連携する暗号化コードを与える妥当性検査トランスポンダ(１８)と、
を備え、
前記身元確認カードが前記入力トランスポンダ(１６)と前記記述トランスポンダ(１７)と前記妥当性検査トランスポンダ(１８)とを搭載しており、そして、前記身元確認カードの構造が、
（一）前記受信局と通信する周回アンテナ１５に接続する前記入力トランスポンダ(１６)と前記記述トランスポンダ(１７)とを有する情報部分（１３）と、前記妥当性検査トランスポンダ(１８)を有する妥当性検査部分（１４）とからなり、折畳み可能なベース層（１１）に折り線（１２）を設けて、前記情報部分（１３）と前記妥当性検査部分（１４）とを前記折り線（１２）で分けて配置した構成、
（二）前記受信局と通信する周回アンテナ（１５）に接続する導電性トラック（１９、２０）を配置してあり、妥当性検査部分(１４)にある前記妥当性検査トランスポンダ（１８）と、情報部分（１３）にある入力トランスポンダ（１６）と記述トランスポンダ（１７）のうちのいずれかと、前記導電性トラック（１９、２０）が電気的に接続しており、更に、前記導電性トラック（１９、２０）が凡そ前記アンテナ（１５）を取り囲んで配置して、前記情報部分（１３）の外周側に前記妥当性検査部分（１４）を配置する関係になる構成、
（三）前記受信局と通信する周回アンテナ（１５）に接続する前記入力トランスポンダ(１６)と前記記述トランスポンダ(１７)とを有する情報部分（１３）の範囲の一部から伸延するコネクタストリップ（２５）を妥当性検査部分として、その先端に前記妥当性検査トランスポンダ（１８ａ）を有する構成、
のうち、（一）乃至（三）の少なくともいずれか一つの構成を成す前記身元確認カードと、前記受信局とで構成することを特徴とする貨物の身元を確認するための身元確認装置。
【請求項１１】
前記受信局に対し読取り局アクセスコードを伝送し、且つ前記受信局に対し警報を与える入力キー構成要素(２２)を前記身元確認カードに有する請求項１０に記載の装置。
【請求項１２】
前記無線周波数信号の受理と応答信号の送信の間の時間的遅延を作り出すため、時間遅延構成要素（２１）を前記身元確認カードに有する請求項１０あるいは請求項１１に記載の装置。
【請求項１３】
前記妥当性検査部分（１４）は、前記身元確認カードに記録された情報が干渉を受けたことを受信局で調査するようにフラグを立てて、同時に、前記受信局で追加専用ファイルに記憶するために、前記記録された情報を前記受信局で利用できる情報にする請求項１０乃至１２のいずれかに記載の装置。
【請求項１４】
前記データベースに含まれる身元確認の為のデータは、前記身元確認カードの発行を受けた貨物の表面画像あるいは貨物の音響応答パターン等で特定される情報を含み、更に前記身元確認カードの発行を受けた貨物の扱い関係者のＤＮＡデータを有する非侵襲なバイオメトリック情報を含むデータである請求項１０乃至１３のいずれかに記載の装置。
【請求項１５】
前記身元確認カードが、前記身元確認カードから前記受信局に情報を送信するための暗号化手段を含む請求項１０乃至１４のいずれかに記載の装置。
【請求項１６】
前記身元確認カードが、その表面に画像読み取りが可能な模様または装飾を配置してある請求項１０乃至１５のいずれかに記載の装置。
【請求項１７】
データベースにアクセスできる前記受信局が受ける情報は、その情報がアクセスされるかまたはアクセスが試みられるごとに前記データベースの追加専用ファイルに追加される請求項１０乃至１６のいずれかに記載の装置。
【請求項１８】
前記受信局の受ける前記情報は、前記受信局の操作者が利用可能であり、無許可とされる貨物の身元確認の情報を含む請求項１７に記載の装置。
【請求項１９】
ある個人が同一人であることを確認するための身元確認のカードにおいて、
前記カードが、前記個人で持ち運び可能であり、且つデータベースに通信可能であって操作者によって操作される受信局に前記個人の情報を送信可能であり、
前記データベースに通信可能な受信局から伝送された無線周波数信号に応答して、個人の身元確認ファイルを内含する前記データベースに順次報告する入力トランスポンダ(１６)と、
前記身元確認カードの発行を受けた個人に対して割当てられた唯一無二の記述および前記カードを発行した発行局の識別を表わす１つの信号を伝送する記述トランスポンダ(１７)と、
前記受信局で復号すべきであるとの識別子を伴う情報となるように、前記身元確認ファイルの場所コードに連携する暗号化コードを与える妥当性検査トランスポンダ(１８)と、
を備え、
前記身元確認カードが前記入力トランスポンダ(１６)と前記記述トランスポンダ(１７)と前記妥当性検査トランスポンダ(１８)とを搭載しており、そして、前記身元確認カードの構造が、
（一）前記受信局と通信する周回アンテナ（１５）に接続する前記入力トランスポンダ(１６)と前記記述トランスポンダ(１７)とを有する情報部分（１３）と、前記妥当性検査トランスポンダ(１８)を有する妥当性検査部分（１４）とからなり、折畳み可能なベース層（１１）に折り線（１２）を設けて、前記情報部分（１３）と前記妥当性検査部分（１４）とを前記折り線（１２）で分けて配置した構成、
（二）前記受信局と通信する周回アンテナ（１５）に接続する導電性トラック（１９、２０）を配置してあり、妥当性検査部分(１４)にある前記妥当性検査トランスポンダ（１８）と、情報部分（１３）にある入力トランスポンダ（１６）と記述トランスポンダ（１７）のうちのいずれかと、前記導電性トラック（１９、２０）が電気的に接続しており、更に、前記導電性トラック（１９、２０）が凡そ前記アンテナ（１５）を取り囲んで配置して、前記情報部分（１３）の外周側に前記妥当性検査部分（１４）を配置する関係になる構成、
（三）前記受信局と通信する周回アンテナ（１５）に接続する前記入力トランスポンダ(１６)と前記記述トランスポンダ(１７)とを有する情報部分（１３）の範囲の一部から伸延するコネクタストリップ（２５）を妥当性検査部分として、その先端に前記妥当性検査トランスポンダ（１８ａ）を有する構成、
のうち、（一）乃至（三）の少なくともいずれか一つの構成を成すことを特徴とする個人を確認するための身元確認カード。
【請求項２０】
前記受信局に対し読取り局アクセスコードを伝送し、且つ前記受信局に対し警報を与える入力キー構成要素(２２)を有する請求項１９に記載のカード。
【請求項２１】
前記無線周波数信号の受理と応答信号の送信の間の時間的遅延を作り出すため、時間遅延構成要素（２１）を有する請求項１９あるいは請求項２０に記載のカード。
【請求項２２】
前記妥当性検査部分（１４）は、前記身元確認カードに記録された情報が干渉を受けたことを受信局で調査するようにフラグを立てて、同時に、前記受信局で追加専用ファイルに記憶するために、前記記録された情報を前記受信局で利用できる情報にする請求項１９乃至２１のいずれかに記載のカード。
【請求項２３】
前記データベースに含まれる身元確認の為のデータは、前記身元確認カードの発行を受けた個人あるいは前記操作者のＤＮＡデータを有する非侵襲なバイオメトリック情報である請求項１９乃至２２のいずれかに記載のカード。
【請求項２４】
前記身元確認カードが、前記身元確認カードから前記受信局に情報を送信するための暗号化手段を含む請求項１９乃至２３のいずれかに記載のカード。
【請求項２５】
前記身元確認カードが、その表面に画像読み取りが可能な模様または装飾を配置してある請求項１９乃至２４のいずれかに記載のカード。
【請求項２６】
データベースにアクセスできる前記受信局が受ける情報は、その情報がアクセスされるかまたはアクセスが試みられるごとに前記データベースの追加専用ファイルに追加される請求項１９乃至２５のいずれかに記載のカード。
【請求項２７】
前記受信局の受ける前記情報は、前記受信局の操作者が利用可能であり、無許可とされる個人の身元確認の情報を含む請求項２６に記載のカード。
【請求項２８】
ある貨物の身元を確認するための身元確認のカードにおいて、
前記カードが、前記貨物に取り付け可能であり且つデータベースに通信可能である受信局に前記貨物の情報を送信可能であり、
前記データベースに通信可能な受信局から伝送された無線周波数信号に応答して、前記貨物の身元確認ファイルを内含する前記データベースに順次報告する入力トランスポンダ(１６)と、
前記身元確認カードの発行を受けた貨物に対して割当てられた唯一無二の記述および前記カードを発行した発行局の識別を表わす１つの信号を伝送する記述トランスポンダ(１７)と、
前記受信局で復号すべきであるとの識別子を伴う情報となるように、前記身元確認ファイルの場所コードに連携する暗号化コードを与える妥当性検査トランスポンダ(１８)と、
を備え、
前記身元確認カードが前記入力トランスポンダ(１６)と前記記述トランスポンダ(１７)と前記妥当性検査トランスポンダ(１８)とを搭載しており、そして、前記身元確認カードの構造が、
（一）前記受信局と通信する周回アンテナ（１５）に接続する前記入力トランスポンダ(１６)と前記記述トランスポンダ(１７)とを有する情報部分（１３）と、前記妥当性検査トランスポンダ(１８)を有する妥当性検査部分（１４）とからなり、折畳み可能なベース層（１１）に折り線（１２）を設けて、前記情報部分（１３）と前記妥当性検査部分（１４）とを前記折り線（１２）で分けて配置した構成、
（二）前記受信局と通信する周回アンテナ（１５）に接続する導電性トラック（１９、２０）を配置してあり、妥当性検査部分(１４)にある前記妥当性検査トランスポンダ（１８）と、情報部分（１３）にある入力トランスポンダ（１６）と記述トランスポンダ（１７）のうちのいずれかと、前記導電性トラック（１９、２０）が電気的に接続しており、更に、前記導電性トラック（１９、２０）が凡そ前記アンテナ（１５）を取り囲んで配置して、前記情報部分（１３）の外周側に前記妥当性検査部分（１４）を配置する関係になる構成、
（三）前記受信局と通信する周回アンテナ（１５）に接続する前記入力トランスポンダ(１６)と前記記述トランスポンダ(１７)とを有する情報部分（１３）の範囲の一部から伸延するコネクタストリップ（２５）を妥当性検査部分として、その先端に前記妥当性検査トランスポンダ（１８ａ）を有する構成、
のうち、（一）乃至（三）の少なくともいずれか一つの構成を成すことを特徴とする貨物の身元を確認するための身元確認カード。
【請求項２９】
前記受信局に対し読取り局アクセスコードを伝送し、且つ前記受信局に対し警報を与える入力キー構成要素(２２)を有する請求項２８に記載のカード。
【請求項３０】
前記無線周波数信号の受理と応答信号の送信の間の時間的遅延を作り出すため、時間遅延構成要素（２１）を有する請求項２８あるいは請求項２９に記載のカード。
【請求項３１】
前記妥当性検査部分（１４）は、前記身元確認カードに記録された情報が干渉を受けたことを受信局で調査するようにフラグを立てて、同時に、前記受信局で追加専用ファイルに記憶するために、前記記録された情報を前記受信局で利用できる情報にする請求項２８乃至３０のいずれかに記載のカード。
【請求項３２】
前記データベースに含まれる身元確認の為のデータは、前記身元確認カードの発行を受けた貨物の表面画像あるいは貨物の音響応答パターン等で特定される情報を含み、更に前記身元確認カードの発行を受けた貨物の扱い関係者のＤＮＡデータを有する非侵襲なバイオメトリック情報を含むデータである請求項２８乃至３１のいずれかに記載のカード。
【請求項３３】
前記身元確認カードが、前記身元確認カードから前記受信局に情報を送信するための暗号化手段を含む請求項２８乃至３２のいずれかに記載のカード。
【請求項３４】
前記身元確認カードが、その表面に画像読み取りが可能な模様または装飾を配置してある請求項２８乃至３３のいずれかに記載のカード。
【請求項３５】
データベースにアクセスできる前記受信局が受ける情報は、その情報がアクセスされるかまたはアクセスが試みられるごとに前記データベースの追加専用ファイルに追加される請求項２８乃至３４のいずれかに記載のカード。
【請求項３６】
前記受信局の受ける前記情報は、前記受信局の操作者が利用可能であり、無許可とされる貨物の身元確認の情報を含む請求項３５に記載のカード。
【請求項３７】
ある貨物の身元を確認するための身元確認のシールにおいて、
前記シールが、前記貨物に取り付け可能であり且つデータベースに通信可能である受信局に前記貨物の情報を送信可能であり、
前記データベースに通信可能な受信局から伝送された無線周波数信号に応答して、前記貨物の身元確認ファイルを内含する前記データベースに順次報告する入力トランスポンダ(１６)と、
前記身元確認シールの発行を受けた貨物に対して割当てられた唯一無二の記述および前記シールを発行した発行局の識別を表わす１つの信号を伝送する記述トランスポンダ(１７)と、
前記受信局で復号すべきであるとの識別子を伴う情報となるように、前記身元確認ファイルの場所コードに連携する暗号化コードを与える妥当性検査トランスポンダ(１８)と、
を備え、
前記身元確認カードが前記入力トランスポンダ(１６)と前記記述トランスポンダ(１７)と前記妥当性検査トランスポンダ(１８)とを搭載しており、そして、前記身元確認カードの構造が、
（一）前記受信局と通信する周回アンテナ（１５）に接続する前記入力トランスポンダ(１６)と前記記述トランスポンダ(１７)とを有する情報部分（１３）と、前記妥当性検査トランスポンダ(１８)を有する妥当性検査部分（１４）とからなり、折畳み可能なベース層（１１）に折り線（１２）を設けて、前記情報部分（１３）と前記妥当性検査部分（１４）とを前記折り線（１２）で分けて配置した構成、
（二）前記受信局と通信する周回アンテナ（１５）に接続する導電性トラック（１９、２０）を配置してあり、妥当性検査部分(１４)にある前記妥当性検査トランスポンダ（１８）と、情報部分（１３）にある入力トランスポンダ（１６）と記述トランスポンダ（１７）のうちのいずれかと、前記導電性トラック（１９、２０）が電気的に接続しており、更に、前記導電性トラック（１９、２０）が凡そ前記アンテナ（１５）を取り囲んで配置して、前記情報部分（１３）の外周側に前記妥当性検査部分（１４）を配置する関係になる構成、
（三）前記受信局と通信する周回アンテナ（１５）に接続する前記入力トランスポンダ(１６)と前記記述トランスポンダ(１７)とを有する情報部分（１３）の範囲の一部から伸延するコネクタストリップ（２５）を妥当性検査部分として、その先端に前記妥当性検査トランスポンダ（１８ａ）を有する構成、
のうち、（一）乃至（三）の少なくともいずれか一つの構成を成すことを特徴とする貨物の身元を確認するための身元確認シール。
【請求項３８】
前記受信局に対し読取り局アクセスコードを伝送し、且つ前記受信局に対し警報を与える入力キー構成要素(２２)を有する請求項３７に記載のシール。
【請求項３９】
前記無線周波数信号の受理と応答信号の送信の間の時間的遅延を作り出すため、時間遅延構成要素（２１）を有する請求項３７あるいは請求項３８に記載のシール。
【請求項４０】
前記妥当性検査部分（１４）は、前記身元確認カードに記録された情報が干渉を受けたことを受信局で調査するようにフラグを立てて、同時に、前記受信局で追加専用ファイルに記憶するために、前記記録された情報を前記受信局で利用できる情報にする請求項３７乃至３９のいずれかに記載のシール。
【請求項４１】
前記データベースに含まれる身元確認の為のデータは、貨物に取り付けた前記身元確認シールの発行を受けた前記貨物の表面画像あるいは前記貨物の音響応答パターン等で特定される情報を含み、更に前記身元確認シールの発行を受けた貨物の扱い関係者のＤＮＡデータを有する非侵襲なバイオメトリック情報を含むデータである請求項３７乃至４０のいずれかに記載のシール。
【請求項４２】
前記身元確認シールが、前記身元確認シールから前記受信局に情報を送信するための暗号化手段を含む請求項３７乃至４１のいずれかに記載のシール。
【請求項４３】
前記身元確認シールが、その表面に画像読み取りが可能な模様または装飾を配置してある請求項３７乃至４２のいずれかに記載のシール。
【請求項４４】
データベースにアクセスできる前記受信局が受ける情報は、その情報がアクセスされるかまたはアクセスが試みられるごとに前記データベースの追加専用ファイルに追加される請求項３７乃至４３のいずれかに記載のシール。
【請求項４５】
前記受信局の受ける前記情報は、前記受信局の操作者が利用可能であり、無許可とされる貨物の身元確認の情報を含む請求項４４に記載のシール。
【請求項４６】
医療関係者、薬剤処方者、患者のいずれかである個人がそれぞれにおいて同一人であることを確認するための装置において、
前記個人が持ち運び可能な身元確認カードあるいは身元確認シールと、データベースに通信可能である受信局とからなり、
前記通信可能である情報が少なくとも医療条件か血液型の情報を含み、血液検査を行うことなく前記患者の血液型を決定するのに前記医療関係者により利用され得る情報であって、また、遠隔地にいる前記患者に対し薬剤処方あるいは医療処置を行う前記医療関係者により利用され得る情報であって、
前記データベースに通信可能な受信局から伝送された無線周波数信号に応答して、前記いずれかの個人の身元確認ファイルを内含する前記データベースに順次報告する入力トランスポンダ(１６)と、
前記身元確認カードあるいは身元確認シールの発行を受けた個人に対して割当てられた唯一無二の記述および前記カードあるいはシールを発行した発行局の識別を表わす１つの信号を伝送する記述トランスポンダ(１７)と、
前記受信局で復号すべきであるとの識別子を伴う情報となるように、前記身元確認ファイルの場所コードに連携する暗号化コードを与える妥当性検査トランスポンダ(１８)と、
を備え、
前記身元確認カードあるいは身元確認シールが前記入力トランスポンダ(１６)と前記記述トランスポンダ(１７)と前記妥当性検査トランスポンダ(１８)とを搭載しており、そして、前記身元確認カードあるいは身元確認シールの構造が、
（一）前記受信局と通信する周回アンテナ（１５）に接続する前記入力トランスポンダ(１６)と前記記述トランスポンダ(１７)とを有する情報部分（１３）と、前記妥当性検査トランスポンダ(１８)を有する妥当性検査部分（１４）とからなり、折畳み可能なベース層（１１）に折り線（１２）を設けて、前記情報部分（１３）と前記妥当性検査部分（１４）とを前記折り線（１２）で分けて配置した構成、
（二）前記受信局と通信する周回アンテナ（１５）に接続する導電性トラック（１９、２０）を配置してあり、妥当性検査部分(１４)にある前記妥当性検査トランスポンダ（１８）と、情報部分（１３）にある入力トランスポンダ（１６）と記述トランスポンダ（１７）のうちのいずれかと、前記導電性トラック（１９、２０）が電気的に接続しており、更に、前記導電性トラック（１９、２０）が凡そ前記アンテナ（１５）を取り囲んで配置して、前記情報部分（１３）の外周側に前記妥当性検査部分（１４）を配置する関係になる構成、
（三）前記受信局と通信する周回アンテナ（１５）に接続する前記入力トランスポンダ(１６)と前記記述トランスポンダ(１７)とを有する情報部分（１３）の範囲の一部から伸延するコネクタストリップ（２５）を妥当性検査部分として、その先端に前記妥当性検査トランスポンダ（１８ａ）を有する構成、
のうち、（一）乃至（三）の少なくともいずれか一つの構成を成す前記身元確認カードあるいは身元確認シールと、前記受信局とで構成することを特徴とする個人を確認するための身元確認装置。
【請求項４７】
前記受信局に対し読取り局アクセスコードを伝送し、且つ前記受信局に対し警報を与える入力キー構成要素(２２)を前記身元確認カードあるいは身元確認シールに有する請求項４６に記載の装置。
【請求項４８】
前記無線周波数信号の受理と応答信号の送信の間の時間的遅延を作り出すため、時間遅延構成要素（２１）を前記身元確認カードあるいは身元確認シールに有する請求項４６あるいは請求項４７に記載の装置。
【請求項４９】
前記妥当性検査部分（１４）は、前記身元確認カードあるいは身元確認シールに記録された情報が干渉を受けたことを受信局で調査するようにフラグを立てて、同時に、前記受信局で追加専用ファイルに記憶するために、前記記録された情報を前記受信局で利用できる情報にする請求項４６乃至４８のいずれかに記載の装置。
【請求項５０】
前記データベースに含まれる身元確認の為のデータは、前記身元確認カードあるいは身元確認シールの発行を受けた貨物の表面画像あるいは貨物の音響応答パターン等で特定される情報を含み、更に前記身元確認カードあるいは前記身元確認シールの発行を受けた貨物の扱い関係者のＤＮＡデータを有する非侵襲なバイオメトリック情報を含むデータである請求項４６乃至４９のいずれかに記載の装置。
【請求項５１】
前記身元確認カードあるいは身元確認シールが、前記身元確認カードあるいは身元確認シールから前記受信局に情報を送信するための暗号化手段を含む請求項４６乃至５０のいずれかに記載の装置。
【請求項５２】
前記身元確認カードあるいは身元確認シールが、その表面に画像読み取りが可能な模様または装飾を配置してある請求項４６乃至５１のいずれかに記載の装置。
【請求項５３】
データベースにアクセスできる前記受信局が受ける情報は、その情報がアクセスされるかまたはアクセスが試みられるごとに前記データベースの追加専用ファイルに追加される請求項４６乃至５２のいずれかに記載の装置。
【請求項５４】
前記受信局の受ける前記情報は、前記受信局の操作者が利用可能であり、無許可とされる個人の身元確認の情報を含む請求項５３に記載の装置。
【発明の詳細な説明】
【技術分野】
【０００１】
本発明は、身元確認を提供する方法および装置に関する。
本発明は、人物ならびに塗装および他の技巧物のような終生特有の身元を保持する唯一無二の物品を身元確認するための方法および装置に対して特に適用されるが、それらにのみに適用されるわけではない。以下、このような人物および物品をまとめて「個人または個体」と呼ぶ。他の態様では、本発明は、貨物運送物品、たとえば船積みコンテナ、自動車などを身元確認するために使用することもできる。
【背景技術】
【０００２】
個人の身元確認は、選択された場所または施設、たとえば銀行、口座など、ならびに立入り制限区域、たとえば保安ビルおよび空港ターミナルなどに対する無許可のアクセスまたは通過を防止するために重要である。個人の身元確認は、旅行者の入国、特に国家間の旅行者の入国に関して政府レベルの決定を下すのに特に重要である。
【０００３】
国家間の旅行者は、空港ターミナルへの到着および／またはそこからの出発の際に、審査官が、入国許可をもたない旅行者または入力制限を受けた個人のリストに詳細が載っている旅行者を身元確認する目的で、各旅行者に口頭で質問し、質問される人物を利用可能な身分証明、たとえばパスポート、記憶リストおよびコンピュータファイルなどと比較することに  よって各旅行者の証明書類を立証しようとするとき、混乱を招くような過度な遅れを被ることがしばしばある。この入国審査はまた、訪問先の国を出入りする旅行者個人の移動の詳細を記録するためにも利用される。
【０００４】
現在、個人の身元確認に利用できる方法には、パスポート、入国制限情報の知識、たとえばパスワード、持ち込み禁止物品の所持、たとえばパスキーまたは照会写真に写された個人の身体的見かけがある。
【０００５】
入国制限情報の知識または持ち込み禁止物品の所持に基づく保安は、情報をその正当な所有者から得ることができるため、発見されない限り、妥協せざるを得ないおそれがある。その結果、そのような情報は、すべての場合に、特に、そのような身元確認を迅速に行わなければならない場合に、個人の身元確認のための満足な方法を提供するわけではない。
【０００６】
一般に「バイオメトリック技術」と呼ばれる、身体的見かけに依存する方法、たとえば指紋分析、温度記録図およびＤＮＡ分析は、身元確認の誤りに対してより強いと考えられており、したがって、当局にとっては魅力的ではあるが、これまでのところ、うまく利用することは困難である。たいてい、そのような方法は、検索し、アクセスするのが困難であったり、時間を要したりするおそれがある特定のバイオメトリックデータを含む膨大なデータバンクを必要とする。
【０００７】
関係者以外立入り禁止区域への進入を制限する目的の、個人の身元確認のためのバイオメトリック技術を利用する一つの公知の方法は、関係者それぞれに、各個人に固有のバイオメトリックデータを含むカードを与えることを含む。このカードを読み取り局で差し出すと、そのバイオメトリックデータがカードリーダなどによって読み取られ、そのカードを差し出した個人と比較される。カードデータと、そのカードを差し出した個人から同時に取得されたデータとの相関が高ければアクセスとなり、相関が低ければ拒否となる。しかし、このシステムは、無許可のカードが製造され、そのカードが施設への無許可のアクセスを得るために使用されるおそれを防ぐことはできない。
【０００８】
もう一つの公知の方法は、個人によって差し出されたカード上のバイオメトリックデータを、前に作成しておいた、関係者個人のバイオメトリックデータのデータベースと比較することを含む。このようなシステムは、カードをその正当な所有者から取得した個人によって翻弄されるおそれがある。
【発明の開示】
【発明が解決しようとする課題】
【０００９】
本発明は、上記の欠点の少なくとも一つを軽減し、確実かつ効率的に使用される身元確認を提供する方法および装置を提供することを目的とする。
【課題を解決するための手段】
【００１０】
前記を考慮すると、本発明は、一つの態様で、広義には、個人または貨物運送物品の身元確認を提供する方法であって、
個人または貨物運送物品の見かけおよび／または状態で特定される身元確認データのデータベースを維持し；
個人または貨物運送物品ごとに唯一無二の記述を提供して、データベース中の個人または貨物運送物品の身元確認データに対するアクセスを可能し；
唯一無二の記述を含む、個人または物品が携帯するための身元確認手段を提供することを含む方法にある。
【００１１】
データベースに含まれる身元確認データは、身元確認が可能な特性(attribute)を表すデータであることができ、好ましくは、バイオメトリック情報、たとえば温度記録図、指紋、写真、声紋、ＤＮＡ配列などを含む。好ましくは、バイオメトリック情報は、非侵襲的に得ることができる情報であり、好適には、個人または物品を離れた場所から撮影することによって所得または捕捉することができる情報である。個体または物品が生き物ではないならば、身元確認が可能な他の特性、たとえば表面画像または音響応答パターンを用い、これらの特性を表すデータをときおり更新して、その物品の劣化または変化を考慮に入れることもできる。
【００１２】
好ましくは、データベースは、各個人または貨物運送物品に関する身元確認データの保護された包み１個を含む。身元確認データの保護された包みは、２種以上の身元確認が可能な特性、たとえば温度記録図および指紋を表すものでもよい。各包みには、履歴または他の情報、たとえば医学的詳細、たとえば、個人または所有者の場合には血液型、貨物運送物品の場合には製造元などを記録することができる１個以上の追加専用ファイルを添付することもできる。
【００１３】
データベースは、立入りを認める前に、個人または物品ごとに固有のデータがある唯一無二の記述だけに結び付くことを保証するため、個人または貨物運送物品に関する身元確認が可能な特性の既存データをチェックするように編成することもできるし、照合または定義された類似がないかどうかをチェックしながらデータを連続的に調査して、ある個人または物品に対して２個以上の記述の存在、すなわち偽造の存在を示すことができるように編成することもできる。
【００１４】
唯一無二の記述は、データベース中のアドレスのような、いかなる情報またはデータであってもよく、データベース中の個人または物品に関してファイルを孤立させるのに十分であり、個人の名前、生年月日、国籍または同様な特徴を含むこともできる。しかし、好ましくは、唯一無二の記述は、個人または物品に割り当てられた唯一無二のファイルコードである。唯一無二の記述は、個人または物品、たとえば船積みコンテナを全世界ベースで身元確認することができるよう、国際的な基準にしたがって編成することもできる。
好ましくは、唯一無二の記述は、機械読み出し専用であり、保護手段によって保護することができるタイプである。保護手段は、唯一無二の記述のコード化または暗号化であってもよいし、保安アクセスコードまたはスタイルであるか、それらを含むものでもよい。
【００１５】
好ましくは、身元確認手段は、以下に説明するような身元確認装置である。しかし、身元確認手段は、他のいかなる適当な手段、たとえば、各個人が、データベース中の身元確認データにアクセスするために暗唱し、差し出す番号またはコードであってもよい。
【００１６】
もう一つの態様では、本発明は、広義には、
携帯手段と；
携帯手段によって運ばれる唯一無二の記述と；
を含む身元確認装置にある。
【００１７】
携帯手段は、カード、トークン、飾り板などであることができ、唯一無二の記述をなんらかの読み出し可能な形態でその上に含めることができる。好ましくは、唯一無二の記述は、離れた場所から機械で読み出すことができるものである。たとえば、唯一無二の記述は、離れたところにある画像システムまたはレーザもしくは赤外線スキャナなどによって読み出すこともできる。好ましくは、身元確認装置は無線周波数信号に応答し、唯一無二の記述が離れたところの受信局によって受信されるように送信される。
【００１８】
携帯手段は、唯一無二の記述以外の情報を運ぶこともできる。たとえば、それは、いくつかのデータベースのどれが詳細な審査を受ける特定の個人または物品の身元確認データを含むのかに関する情報を運び、それにより、読み出し局が該当するデータベースを速やかに検索することを許す。このような追加情報もまた、唯一無二の記述とともに送信することができる。しかし、好ましくは、携帯手段は、好適には、その携帯手段が発行された個人以外の個人またはその携帯手段が発行された物品以外の個体に対する値の情報を運ばず、ただ、その個人または物品に関する身元確認データに対するアクセスを可能にするだけである。同様に、特定の物品に関して発行された身元確認装置の別の物品への移行は役に立たない。
【００１９】
身元確認装置はまた、受信局が、身元確認装置を他の一般に携帯されるプログラム可能なカードなどの装置から区別するために用いることができる区別手段を含むこともできる。本発明の好ましい形態では、区別手段は、他の装置が、身元確認装置による送信の前に、それらの信号を送信し、それにより、受信装置が、プログラム可能なカードなどによって送信された信号を、身元確認装置によって送信された信号から区別し、したがって、それらの信号を捨てることを可能にするような内蔵時間遅延を含む。
【００２０】
身元確認装置は、受信局が、アクセス手段によって開かれた後でだけ、唯一無二の記述を受信するようにそれ自体を準備させるような、受信局へのアクセスを提供するためのアクセス手段を含むこともできる。たとえば、アクセス手段は、受信局によって認識される特定の信号ストリーム（データ信号の転送）を含むこともできる。身元確認装置はさらに、前の信号に含まれる情報の妥当性をチェックするための妥当性検査手段を含むこともできる。好ましくは、妥当性検査手段は、身元確認装置に含まれる唯一無二の記述または他の情報に干渉（改変）すること、または身元確認装置の部品に干渉することにより、調査するように身元確認装置でフラグが立てられ、同時に、受信局で追加専用ファイルに記憶するために受信局で利用できる情報として受信する。
【００２１】
身元確認装置はまた、身元確認装置から受信局に送信された情報が、対応する復号手段を利用する受信局によってしか理解されないような暗号化手段を含むこともできる。
携帯手段がカードである本発明の好ましい形態では、発行された各カードに固有の身元確認データは、そのカードを発行された個人に固有の身元確認データを含むデータベースに適切に連結／関連していることができるデータベース中に維持される。そのようなカード固有のデータは、たとえば、カードの表面に施された、画像読み取り装置によって読み取ることができる模様または装飾を含むこともできる。あるいはまた、カード固有のデータは、トランスポンダに含まれる、離れた場所から読み取ることができる個々の信号であってもよい。
【００２２】
もう一つの態様において、本発明は、広義には、前記のようにして現在身元確認中であるか、身元確認される予定の個人の身元確認可能なグループの旅行を容易にする方法であって、
グループの個人によって旅行の意図が示されたとき、または示されたのち、データベースにアクセスし、身元確認手段を使用してそのアクセスを可能にし；
身元確認される個人のグループに関する身元確認データのパケットを編集し；
データのパケットを、該身元確認されるグループが参集されるか、旅行の意図を確認するところの限局監視区域に回収し；
回収した情報のパケットの各個人のデータを、限局監視区域で生成された対応するデータと比較し；
データとで相関を示した個人が旅行を続けることを許すことを含む方法にある。
【００２３】
本方法は、グループの旅行前またはより長期間の旅行の場合には拘束中のいずれかで、比較的大きなデータベースに速やかに問い合わせて、容易に限局することができる比較的小さなパケットのデータをアセンブルして、グループ中の個人の身元確認をほぼ即座に得ることができ、それにより、出入りを制限される国境を越える個人の移動を容易にすることができるという利点を提供する。
【００２４】
データベースは、国際的なデータベースであってもよい。しかし、好ましくは、各国が、自国民に関する情報を含む自国のデータベースを維持する。各国のデータベースはまた、それぞれの国に以前に入国したことのある外国市民に関する情報を含むこともでき、それにより、特定の国との間を頻繁に移動する人物に関するデータに容易にアクセスすることができる。これは、追加専用ファイルに含めることができる。データベースは、出発局または目的地局からの指示を受けたときにアクセスすることができる。自国のデータベースはまた、裁判所の命令によって入国または出国を禁止されている個人または犯罪者として知られる個人などに関する身元確認データを含む、出入りを制限される法的に監視される人の個人情報について監視データベースに含むこともできる。グループの全員をそのような監視データベースに速やかに照らして比較することができる。
【００２５】
身元確認データのパケットは、身元確認される個人のグループの各メンバに関する包みまたは身元確認データを含むことができ、いかなる個人のグループにも関連させることができる。グループは、特定の乗り物での移動、たとえば航空便、列車またはバスの旅行などのための切符をもつすべての乗客を含むこともできる。好ましい形態では、身元確認データは、各個人に固有の身元確認データ、たとえば個人の温度記録図を含み、旅行情報、たとえば同行者および座席指定が追加専用ファイルに提供されている。これは、審査官が個人に関する有用な情報を容易に身元確認するのに利用することができる情報および検査来歴（audit trail）を提供することができる。これは、ある個人が無許可であると身元確認された場合に特に有利である。
【００２６】
編集された身元確認データのパケットは、各個人の身元確認手段から取り出されたデータおよび個人によって提供される他のデータを含むこともできる。しかし、本発明の好ましい形態では、身元確認データは、データベースから検索される、各個人に固有のデータを含む。
【００２７】
好ましくは、データのパケットは、出発局で編集される。ただし、自国のデータベースまたは別の適当な編集局で編集し、一時的な記憶手段に記憶するように監視局に送信してもよい。好ましくは、データのパケットは、無許可の人物による妨害を防止するため、暗号化形態で送信される。
【００２８】
限局監視区域は、出発空港または目的地空港に位置する監視局または他の適当な局であることができ、データのパケットは、一つ以上の監視局で回収することもできる。本発明の好ましい形態では、データのパケットは、それが一時的に記憶され、出発客との比較のために検索される出発空港で編集され、また、乗客が到着したときの乗客との比較のために目的地空港に送信される。
【００２９】
好ましくは、各個人によって携帯される身元確認手段は、前記のように、離れた場所から読み取ることができる唯一無二の記述を含む。このような身元確認手段は、離れたところから監視され、データベース中の身元確認データと比較されることにより、個人の身元の受動的な確認を可能にする必要な手段を個人に提供する。あるいはまた、個人は、通過または監視局で、監視目的のため、自らの身元確認手段を読み取り装置に提示することを求められるかもしれない。
【００３０】
個人は、オペレータが、監視局で身元確認手段を読み取ったときにデータベースから自動的に検索される画像の形態にある身元確認データを用いて目視的に比較することもできるが、比較は、人為的誤りまたは意図的な悪事を避けるよう、数学的または電子的に実施される非主観的比較であることが好ましい。
【００３１】
本発明の好ましい形態では、身元確認データは、Prokowski への米国特許第５，１６３，０９４号明細書に開示されているような適当な手段によって対応する乗客と比較することができる温度記録図である。
【００３２】
もう一つの態様では、本発明は、広義には、船積みコンテナのような貨物運送物品の移動を容易にする方法であって、
該物品を、該物品にアクセスするためには損傷しなければならない身元確認が可能なシール手段でシールし；
該シール手段および／または該物品に関する情報を該データベースに入力し；
該シール手段を監視局でチェックして、その物品がアクセスされたかどうかを決定し；
データを、該物品が格納される限局監視区域に回収し；
物品に関する回収データを、限局監視区域で生成された対応するデータと比較し；
データとで相関を示す物品を、さらに検査することなく、目的地に進ませることを含む方法にある。
【００３３】
好ましくは、貨物運送物品は、前記の身元確認を提供する方法にしたがって確認される。また、物品を身元確認が可能な船積み移動に割り当てるとき、または割り当てたのち、データベースにアクセスしてその物品の身元確認を可能にすることが好ましい。
【００３４】
好ましくは、身元確認が可能なシール手段は、前記のような、物品の中身にアクセスするために破損しなければならないような方法で物品に取り付けられるように適当に形成された身元確認装置である。また、身元確認が可能なシール手段は、読み出し可能な形態でその上に含まれる唯一無二のシール記述を有することが好ましい。たとえば、唯一無二のシール記述は、個々のシールおよび／または個々の物品に関してファイルを孤立させるのに十分である数字の配列であってもよい。身元確認が可能なシール手段は、唯一無二のシール固有データ、たとえば、シール手段の表面に施され、画像読取り装置によって読むことができる模様または装飾を含むものでもよい。あるいはまた、シール固有データは、トランスポンダに含まれ、離れた場所から読むことができる個々の信号であってもよい。
【００３５】
好適には、シール手段は、個体に対する値の情報を含まず、シール手段およびそのシール手段が適用される物品に関連するデータベース中の情報に対するアクセスを可能にするだけである。本発明の好ましい形態では、そのようなアクセスは、前記の身元確認を提供する方法にしたがって身元確認される関係者だけに利用可能であり、アクセスの場所で収集されたその関係者のバイオメトリックデータと、対応するデータベースに記憶されたバイオメトリックデータとの間に満足な相関が得られた後でしか達成されない。
【００３６】
好ましくは、身元確認が可能なシール手段に関連する情報は、そのシール手段が適用される物品に関するデータベースに含まれる情報に加えられる。また、そのような情報が唯一無二のシール記述を含み、それが追加ファイルとして入力されることが好ましい。そのような追加ファイルは、より後の追加ファイルによって置き換えてもよいが、検査目的(audit purpose)のため、現在および非現在の追加ファイルすべてをデータベース中に維持することが好ましい。しかし、シール手段は、身元確認されない物品とで用いることもでき、そのような場合、シール手段に関する情報を、海運代理業者に関するデータベースまたは他の適当なデータベースに追加してもよい。
【００３７】
追加ファイルは、物品および特定の船積み移動に関する情報を含むものでもよい。たとえば、物品が船積みコンテナである場合、情報は、そのコンテナを梱包した作業員、梱包日時、出発局、到着局など、およびコンテナの中身に関する詳細を含むこともできる。そのような情報は、関係者が直接追加してもよい。
【００３８】
さらに、データベースは、身元確認が可能なシール手段に関する情報、たとえばその発行時間および発行地、それを発行された個人または会社、海運代理業者コードまたは検査目的に重要である他の同様な情報を含むことができる。好ましくは、そのような情報もまた、関係者のみによって入力される。
【００３９】
データベース中の情報との相関をチェックすることは、シール手段および物品の目視チェックを含むが、好ましくは、チェックは、離れたところにある監視区域から実施する。
限局監視区域は、梱包区域、製造区域もしくは発送区域、出発港もしくは目的地港または他の適当な局に位置する監視局であってもよく、データのパケットは、一つ以上の監視局で回収してもよい。
【００４０】
多くの船積みコンテナまたは他の貨物運送物品のグループが一つの運搬用乗り物、たとえば船もしくは列車によって運搬される本発明の一つの形態では、グループ中の各コンテナに関する情報を含むデータのパケットは、各コンテナに関するデータベースにアクセスすることにより、出発港または他の適当な編集局で編集することもできる。このようなデータのパケットは、一時的に記憶し、出発するコンテナとの比較のために回収することもでき、また、到着したコンテナとの比較のために目的地港に送信することもできる。好ましくは、データのパケットは、関係者以外からの干渉を防ぐため、暗号化形態で送信される。
【００４１】
有利には、出荷前または出荷中に比較的大きなデータベースに問い合わせて、容易に限局することができる比較的小さなデータのパケットをアセンブルして、グループ中の物品のほぼ即座の身元確認を達成し、それにより、出入りを制限される国境を越えるそれらの移動を容易にすることができる。
【００４２】
データベースは、国際的なデータベースであってもよいが、好ましくは、各国が、主要な物品、たとえば船積みコンテナまたはその国で登録されている車に関する情報を含む自国のデータベースを維持する。
【発明を実施するための最良の形態】
【００４３】
本発明をより容易に理解し実践的に有効に利用できるようにするために、本発明の好ましい実施形態を例示する添付図面をここで参照する。
図１ａは、身元確認カードの絵画的表示であり、
図１ｂは、他の身元確認カードの絵画的表示であり、
図１ｃは、コンテナシールの絵画的表示であり、
図２は、許可された人物の旅行を容易にする方法のダイアグラム表示であり、
図３および４は、システムの実現のための関連する機能部域およびデータベースの相互接続のダイアグラム表示であり、
図５は、自動車両の移動を容易にする方法のダイアグラム表示である。
【００４４】
図１ａに例示されている無線周波数応答性身元確認カード１０は、カードを情報部分１３と妥当性検査部分１４に分割する中心にある折り線１２を中心にして折畳み可能な財布サイズの可撓性プラスチックベース層１１を含む。情報部分１３は、信号を受理するためベース層１１の中に埋め込まれた周回アンテナ１５を含む。アンテナ１５は、入力トランスポンダ１６、記述トランスポンダ１７および妥当性検査トランスポンダ１８に作動時に接続されている。妥当性検査トランスポンダ１８は妥当性検査部分１４上にあり、それに対する接続は、導電性トラック１９および２０により、折り線１２を横断して通過している。無線周波数信号の受理と応答信号の送信の間の時間的遅延を作り出すため、時間遅延構成要素２１が配置されている。
【００４５】
トランスポンダ１６、１７および１８は、隣接する送信および受信局から伝送された無線周波数に応答して順次報告するように配置されている。
【００４６】
入力トランスポンダ１６は、受信局に対し読取り局アクセスコードを伝送し、かくして受信局に対し有効な信号部分について警報を与えるように構成されている入力キー構成要素２２を内含している。受信局は、こうして、トランスポンダ１６、１７および１８からさらなる信号部分を受理するために準備される。構成要素２２は、アクセスコードで始まらない何らかの信号を受信局が処理するのを有効に防止する。トランスポンダ１６は同様に、関係する個人身元確認ファイルがデータベースに内含されている情報をも含んでいる。
【００４７】
記述トランスポンダ１７は、カードの発行を受けた個人に対し割当てられた唯一無二の記述およびカードを発行した発行局の識別を表わす１つの信号を伝送する集積回路である。記述トランスポンダ１７は、トランスポンダ１６の後ですぐにその信号を伝送する。
【００４８】
トランスポンダ１８は、妥当性検査および暗号化コードを含む集積回路である。暗号化コードは、カードに独特のものであり、受信局により記録された信号が、受信局に結びつけられた対応する復号手段によって復号されなくてはならない独特の識別子を伴う情報パーセルとなるようにファイル場所コードと連動する。
【００４９】
図１ｂに例示されている無線周波数応答性身元確認カード１０は、図１ａに関連して記述したとおりの構成要素を含んでいる。しかしながら、この実施形態においては、妥当性検査部分は情報部分と境界を画し、ここで導電性トラック１９および２０は実際にアンテナ１５を取り囲んでいる。
【００５０】
使用中、標準的に出発局と到着局の両方にある送信および受信局は、予め定められた時間中、特定の周波数で有効化信号を伝送する。例えば、一人の個人により携帯されることによって指定された範囲またはゾーン内で前記周波数で作動する全てのカードは、有効化信号によって起動される。身元確認カードは、信号によって起動されるが、その他のカードとは異なり、組込み応答時間遅延のためすぐには応答しない。時間的遅延の長さは、同じ周波数で活動化される可能性のある全てのカードがそのメッセージを伝送して身元確認カードによりその後伝送された信号が受信局によって明確かつ中断なく識別され受理され得るようにするのに充分な時間的余裕を与えるように設定される。
【００５１】
指定された時間的遅延の終わりで、入力トランスポンダ１６はその信号を受信局に伝送し、受信局は次に、記述トランスポンダ１７からのメッセージ信号および妥当性検査トランスポンダ１８からの妥当性検査信号を受理するべく準備する。
【００５２】
妥当性検査信号が予想どおりに受理された場合、妥当性検査トランスポンダ１８によって伝送された信号内に包含された暗号化コードは、トランスポンダ１６および１７からのメッセージと連動して暗号化されたメッセージを作成し、このメッセージは受信局によって、送信準備完了状態の情報の１パーセルとして受理される。妥当性検査トランスポンダ１８が応答しないかまたは記述トランスポンダ１７からの信号内に相違を指示した場合、トランスポンダ１７により伝送されたメッセージは、トランスポンダ１８によって搬送される唯一無二の暗号化コードによって暗号化されない。しかしながら、メッセージはその後、カードを読取る特定の受信局に特定的な暗号化コードによって暗号化される。こうして、メッセージは、個人がさらなる調査を要求していることの指示を提供する情報のフラグ付きパーセルとして準備される。
【００５３】
図１（ｃ）は、図５に例示された方法の実行において図１（ｂ）のカードを内蔵する出荷用コンテナのためのシールを例示している。妥当性検査トランスポンダの故障または記述トランスポンダ１７からの信号内の相違は、シールアセンブリが除去されたかまたは壊されたことそしてコンテナがアクセスを受けた可能性があることを示す。シールが「使い捨てシール」であることがわかるだろう。この目的で、シールには、刃形スロット２６の中に収容される、コンテナ扉に対してループを形成するループ形成ストリップ２７が含まれている。コンテナ本体に対するループ形成のために類似のループ形成ストリップ２８が具備されている。扉を開放しようという試みがなされた場合、導電性トラック１９および２０または妥当性検査トランスポンダ１８ａが損傷を受けることになる。変形実施形態においては、ループ形成ストリップ２８は、スロット２６に類似したスロットを含むサドルで置換され、コネクタストリップ２５はスロット２６内を通ってコンテナの扉および本体のまわりをロックすることができる。
【００５４】
認可された人物による旅行を容易にすることは、図２、３および４で概略的に例示され、以下で記述されている。海外旅行をしたいと考えている人は、上述のタイプの身元確認カードを申請しその発行を受ける。カードは、カード発行局により発行され、そして該当する唯一無二の記述がカード内にプログラミングされる。同時にかまたはそれに引き続いて、各々の人物に唯一無二に選択された生物測定学的データ、適切にはサーモグラム（示差熱分析曲線）が、唯一無二の記述によって指定されたファイルの場所でファイル保持局のデータベース内に作成、記憶（好ましくはデジタル形態で）される。サーモグラムは好ましくは、Prokowski に対する米国特許第５，１６３，０９４号の中に記述されているタイプのものである。
【００５５】
個人はその後、オーストラリアへ旅行したいという希望を表明するかもしれない。このような希望は、例えば、航空券の購入またはビザの申請によって表明され得る。この時点で個人の身元確認データを読取ることができ、航空券は、カードの発行対象の人物の名前で発券されることになる。
【００５６】
この時点で、国内のデータベース内の個人の追加ファイルは、この個人がオーストラリアへ旅行し特定された期間中そこに滞在することを許可されていることを示すように更新される。この個人は、自らの追加ファイルの更新時点で、自らの利益および記録のために適切な受領書または航空券の発行を受けることができるが、このような受領証はいかなる公的な目的にも使用されない。
【００５７】
好ましい実施形態においては、個人のサーモグラムまたはその他の生物測定学的データは、データベースから検索されるかまたはこの時点で作成され、各々の特定のフライトについて発券された個人に関してサーモグラムを照合するように配置された出発局データベースの中に記憶される。かくして、各人物に特定的な情報ならびに許可された訪問の長さなどまたは特定のフライト上の各人物に関する情報に対する迅速かつ容易なアクセスを可能にするその他の情報が、出発の時点に先立って身元確認データパケットとして準備される。
【００５８】
乗客は、出発ラウンジに向かってまたは出発ゲートを通って移動するにつれて、例えば、最新のサーモグラムを作成するべく遠隔のスキャナによって走査され、この最新のサームグラムは、各々の乗客を肯定的に身元確認するべく出発局データベース内に予めロードされたサーモグラムと瞬時に比較され得る。
【００５９】
最新のサーモグラムと出発局データベースサーモグラムの間の充分な相関関係により許可を受けた乗客として肯定的に身元確認された乗客は、出発する航空機まで中断なく通過することができる。相関関係が所要レベル未満である乗客は、さらなる身元確認のため指定された部域に導かれる。このプロセスは、その航空機に搭乗する全ての人物について行われる。
【００６０】
出発局は同様に、好ましくは全ての乗客との比較のためにアクセスされる、出国を禁じられた人物の監視データベースの監視リストも維持することができる。出国を禁じられた乗客として身元確認された人物は全て、航空機への搭乗を妨げされる可能性がある。
【００６１】
同時にまたはフライト中に時宜を得て、乗客データの全てを内含する情報データのパケットは、目的地局に伝送され、ここで目的地局データベース内に記憶される。搭乗前の短い時間で肯定的に身元確認されずかつ搭乗を許可された人物は、航空機がトランジット中に比較的長い時間さらに調査される。かくして場合によって許可が立証された乗客は、目的地空港へ容易に進入することができ、肯定的な身元確認を受けなかった乗客は、さらなる身元確認のため拘留される。
【００６２】
目的地空港では、全ての乗客は走査ステーションを通過し、ここで各々の乗客の身元確認カードが遠隔制御で読取られ、かくしてそのカードについての記憶されたサーモグラムが検索できるようになっている。各々の乗客は、検知されるカードを携帯する人物に焦点をあてた遠隔サーモグラフィックスキャナによって同時にサーモグラムに記録される。サーモグラムは比較され、充分な相関関係が達成された時点で、かかる人物は、自動的に監視機器により起動され得る選択ゲートを通って係員によりさらに中断されることなく、その目的の場所まで進む。適切には、選択ゲートは、さらに安全な調査を行うため無許可の個人を人目につかずに拘束する。この時点で、目的地国内での各々の乗客の到着を記録するべく、追加データベースを自動的に更新することができる。
【００６３】
代替的には、出発空港は、フライト上の個人の身元確認カードに内含されている情報をパッケージし、これを到着目的地に送ることができ、この目的地は、善意の上陸客の自由な通過を容易にするべく自ら使用するために身元確認日時のパケットをコンパイルする。
【００６４】
好ましくは、データベースにアクセスできる各々の局は、個々の局アクセスコードを有し、このような局を受持つ各々のオペレータは個別のオペレータコードを有する。適切にはこの情報は、アクセスが行われるかまたは試みられるごとに追加専用ファイルに追加される。適切には、データベースにアクセスする許可は、生物測定学的（バイオメトリック）相関関係を必要とする前述の方法と同様に提供される。したがって、前述した一連の処理動作の検査来歴が維持され、ファイルを更新するオペレータの詳細な記述を含んで経歴リポートを作成する方法で、各個人の許可された移動の記録（ログ）がとられる。
【００６５】
受入れ国内の外国旅行者は自分の身元確認カードを携帯するだけでよい。特定の国に入る許可があるか否かについて尋ねられた場合には、政府職員に同行して読取り局まで行くだけでよく、そこで最新のサーモグラムをとらせ、また自分の身元確認カードを使用して国内データベースをアクセスして各個人のサーモグラムおよび許可された旅行明細書を検索することができる。
【００６６】
前述のことに加えて、本発明は、国境地の横断箇所や刑務所といった防護された部域に個人が出入りするのを監視するのにも使用することができる。その上、医療処置を受けている人物のアイデンティティ（ＩＤ）を立証するためにも利用できる。例えば、データベースは、医療条件、血液型などに関する情報を内含していてよく、このような情報は、負傷者の血液型を決定するのに現地での血液検査を行うのではなくその人物のＩＤの確認受理時点で病院関係者により利用され得る。有利にも、このような方法は時間を節約させてくれる。代替的には、医師は、遠隔地にいる患者に対し、その患者のＩＤが正しく立証されたという知識が保証された状態で前述の方法により患者のＩＤの立証時点で薬剤または処置を処方することができる。
【００６７】
出荷コンテナまたは自動車の移動を容易にする方法が、図５に概略的に示されている。運送可能な物品に関して用いられている生物測定学的データという語は、表面画像といったようなその物品に特定的な身元確認が可能な特性を意味している。
【００６８】
定期的な輸出を希望する企業主体は、認可輸出業者となるべく申請を行うことが必要となる。このような申請が承認された時点で、許可された企業主体が雇用する全ての従業員に対して前述のような個人的身元確認装置が発行されることになる。出荷用コンテナに入れて出荷されるべき個々の荷物の準備、梱包および内容に関する情報が、前述の方法に従って身元確認されることになるその特定のコンテナに関する追加ファイルの中に入力される。閉鎖時点で、コンテナは、正式の発行当局により認可企業主体に対して発行されたとおりにシールアセンブリで密封されることになる。シールの詳細がデータベース内に入力され、追加ファイルとしてコンテナに関する身元確認データと統合されることになる。コンテナが身元確認されていないコンテナである場合、シールの詳細は、出荷する企業主体の詳細と統合される。許可された全ての輸出企業主体によって同じプロセスが実施されることになる。
【００６９】
出荷ステーションに到着したコンテナは、輸出企業主体の発送ステーションと出荷ステーションの間での各コンテナに対する無許可のアクセスをことごとく検査するためおよびシールに対するあらゆる損傷について検査するため、遠隔走査される。特定の船に積込むべき全てのコンテナに関する情報がコンパイルされて１つのデータパッケージを形成し、このパッケージが目的地港へと伝送されることになる。
【００７０】
目的地港において、コンテナは自動的に荷下ろされ走査されてシールが損傷を受けていないかどうか見極められる。シールおよび身元確認データは伝送されたデータパケットと比較される。コンテナの遠隔壁パネルの除去によってコンテナが進入を受けたか否かを見極めるための目視も行うことができる。必要とあればコンテナの適切な部分に対して複数の密封アセンブリを適用することができる。
【００７１】
肯定的に身元確認され（すなわち伝送されたデータと目的地で得られたデータの間に適切な相関関係をもち）かつ無傷のシールを有する（すなわち、シールが有効な信号を送っている）コンテナは、さらなる検査なしで目的地港から誘導される。しかしながら、肯定的に身元確認されないかまたは有効な信号を提供しないシールアセンブリを有するコンテナは、さらなる調査のため検査局まで導かれることになる。
【００７２】
この方法を使用することにより、善意の輸出企業主体によって発送された貨物は、無許可の当事者が出荷中にコンテナに進入したかまたはシールが偶発的に損傷を受けたのでない限り、中断なく通過できることになる。したがって、この方法は、貨物の動きの効率を改善するものと期待されている。
【００７３】
当然のことながら、コストまたはその他の考慮事項により上述のような本発明に基づく装置または方法の完璧な利用が保証されない場合には、本書に開示されているシステムの別々の部分を有利に使用することができる。しかしながら、当然のことながら、上述のものは本発明の一例としてのみ与えられたものであり、当業者にとって明白となるような全ての修正および変更が、本書に記述したとおりの本発明の広い範囲および領域の中に入るものとみなされる、ということもわかるだろう。
【図面の簡単な説明】
【００７４】
【図１（ａ）】図１ａは、身元確認カードの絵画的表示である。
【図１（ｂ）】図１ｂは、他の身元確認カードの絵画的表示である。
【図１（ｃ）】図１ｃは、コンテナシールの絵画的表示である。
【図２】図２は、許可された人物の旅行を容易にする方法のダイアグラム表示である。
【図３】図３は、システムの実現のための関連する機能部域およびデータベースの相互接続のダイアグラム表示である。
【図４】図４は、システムの実現のための関連する機能部域およびデータベースの相互接続のダイアグラム表示である。
【図５】図５は、自動車両の移動を容易にする方法のダイアグラム表示である。
【図１（ａ）】
0003831777.tif 000002
【図１（ｂ）】
0003831777.tif 000003
【図１（ｃ）】
0003831777.tif 000004
【図２】
0003831777.tif 000005
【図３】
0003831777.tif 000006
【図４】
0003831777.tif 000007
【図５】
0003831777.tif 000008